(57)【要約】      （修正有）【課題】炎の大きさや温度を制御することが可能なミニ溶接器を提供する。【解決手段】少なくとも第一管体１及び第二管体２を備え、該第二管体２の一端は該第一管体１に通じるように設けられ、通路は、該第一管体１から離れた一端から隣接した該第一管体１の他端に向けて次第に拡径するように設けられ、該第一管体１の一端から離れた該第二管体２には、径方向に少なくとも二つの通孔２５が設けられ、該通孔２５は該通路に通じるように設けられており、水素が通孔２５を経て、通路内の酸素と混合してから石英管へ素早く流れ込んで、その流れる力で、水素と酸素が空気に触れると、石英管の出口からほんの少し離れたところに炎が出ることになるところの炎の大きさや温度は、ガス供給器による水素や酸素の供給量によって調整される。【選択図】図３
0003215457.tif 000002
【実用新案登録請求の範囲】
【請求項１】
少なくとも第一管体及び第二管体を備え、該第二管体の一端は、該第一管体に通じるように設けられ、該第二管体内には通路が設けられ、該通路は、該第一管体から離れた一端から隣接した該第一管体の他端に向けて次第に拡径するように設けられ、該第一管体の一端から離れた該第二管体には径方向に少なくともの二つの通孔が設けられ、該通孔は、該通路に通じるように設けられることを特徴とするミニ溶接器。
【請求項２】
該第二管体には、第一セクション、第二セクション、第三セクション及び第四セクションが順次に通じるように設けられ、該第一セクションは該第二セクションよりも、該第二セクションは該第三セクションよりも、該第四セクションは該第一セクションよりも半径が小さく設けられ、該通孔は該第四セクションに設けられ、該第一セクションと該第一管体が通じるように設けられることを特徴とする、請求項１に記載のミニ溶接器。
【請求項３】
該第四セクションには、第一シールリングの設置に供するための第一リング溝が設けられ、該第一リング溝と該第三セクションとの間に該通孔が設けられることを特徴とする、請求項２に記載のミニ溶接器。
【請求項４】
該第三セクションには、第二シールリングの設置に供するための第二リング溝が設けられることを特徴とする、請求項３に記載のミニ溶接器。
【請求項５】
該第一管体には、相互に通じる大径部と小径部が設けられ、該小径部は、該第二管体が差し込んでつなぐように設けられ、該大径部における該環状壁の一端の外表面には、雄ネジ部が設けられることを特徴とする、請求項１に記載のミニ溶接器。
【請求項６】
該第一管体には、相互に通じる大径部と小径部が設けられ、該小径部は、該第二管体の該第一セクションが差し込んでつなぐように設けられ、該小径部から離れた該大径部の一端には環状壁が設けられ、該環状壁内には第三シールリングが嵌め込まれ、該大径部における該環状壁の一端の外表面には、雄ネジ部が設けられることを特徴とする、請求項２に記載のミニ溶接器。
【請求項７】
更に、複数のギャップリング及び複数の第四シールリングが設けられ、該ギャップリング及び該第四シールリングは、それぞれ、相互に間隔を開けて配置され、該大径部内又は該環状壁と該小径部との間に設けられることを特徴とする、請求項５に記載のミニ溶接器。
【請求項８】
更に、複数のギャップリング及び複数の第四シールリングが設けられ、該ギャップリング及び該第四シールリングは、それぞれ、相互に間隔を開けて配置され、該大径部内又は該環状壁と該小径部との間に設けられることを特徴とする、請求項６に記載のミニ溶接器。
【請求項９】
更に、該第二管体の該第三セクションの外に嵌め込まれる第一ネジ付きソケットが設けられ、第二セクションに隣接した該第一ネジ付きソケットの一端が、該第二セクションに隣接した第三セクションの一端に突き当たるように設けられることを特徴とする、請求項５に記載のミニ溶接器。
【請求項１０】
更に、第一ネジ付きソケットと第二ネジ付きソケットを備えて、該第一ネジ付きソケットは該第二管体の該第三セクションの外に嵌め込まれ、該第二セクションに隣接した該第一ネジ付きソケットの一端が、第二セクションに隣接した該第三セクションの一端に突き当たるように設けられ、該第二ネジ付きソケットは該第一管体の該大径部の外に嵌め込まれ、そして該雄ネジ部と螺合し、該第一管体には、該第二ネジ付きソケットの一端及び該第二ネジ付きソケットの内端面の間に第三シールリングが嵌め込まれることを特徴とする、請求項６に記載のミニ溶接器。
【考案の詳細な説明】
【技術分野】
【０００１】
本考案は、溶接設備に関し、特に石英管溶断に用いられるミニ溶接器に関する。
【背景技術】
【０００２】
従来の溶接器１００’は、図６に示すように、接続管１’に通じるガス供給器２００’を備え、接続管１’には通路２’が設けられ、ガス供給器２００’と接続管１’は、ネジ締め付けで接続されており、通路２’はＹ型に設けられ、即ち、Ｖ型部２１’とＩ型部２２’が相互に接続する構造をなしており、ガス供給器２００’によって酸素を直接にＩ型部２２’に供給し、水素をＶ型部２１’を経てＩ型部２２’にて酸素と混合するように設けられている。
【０００３】
ガス供給器２００’と接続管１’は、ネジ締め付けで接続され、Ｖ型部２１’とＩ型部２２’との空間的距離は、一時的に固定されている。長時間使用後やネジ締付けが緩くなったりきつくなったりした場合、空間的距離が小さ過ぎたり、大き過ぎたりし易くなることから、水素や酸素を安定に提供できず、炎の大きさや温度の安定制御が難しくなり、爆発などが発生する可能性が大きいので作業員の安全が脅かされる。
【０００４】
上記に鑑みて、考案者は、従来の技術における問題点を改善し、この業界にたずさわる長年の経験を持って、本考案を創案した。
【考案の概要】
【考案が解決しようとする課題】
【０００５】
前述した問題点に鑑みて、考案者が取り組んだ研究開発成果である本考案は、通路で混合された水素と酸素が石英管へと素早く流れ込んで、その流れる力で、水素と酸素が空気に触れると、石英管の出口からほんの少し離れたところに炎が出るところ、ガス供給器による水素や酸素の供給量を調整して、その炎の大きさや温度を制御することが可能なミニ溶接器を提供することを目的とする。
【課題を解決するための手段】
【０００６】
上述した目的を達成させるため、本考案は、少なくとも第一管体及び第二管体を備えてなり、該第二管体の一端は該第一管体に通じるように設けられ、該通路は、該第一管体から離れた一端から隣接した該第一管体の他端に向けて次第に拡径するように設けられ、該第一管体の一端から離れた該第二管体には、径方向に少なくとも二つの通孔が設けられ、該通孔は該通路に通じるように設けられることを特徴とするミニ溶接器を提供する。
【０００７】
幾つかの実施例では、該第二管体には、第一セクション、第二セクション、第三セクション及び第四セクションが順次に通じるように設けられ、該第一セクションは該第二セクションよりも、該第二セクションは該第三セクションよりも、そして該第四セクションは該第一セクションよりも半径が小さくなるように設けられ、該通孔は該第四セクションに設けられ、該第一セクションと該第一管体は通じるように設けられることを特徴とする。
【０００８】
幾つかの実施例では、該第四セクションには、第一シールリングの設置に供するための第一リング溝が設けられ、該第一リング溝と該第三セクションとの間に該通孔が設けられることを特徴とする。
【０００９】
幾つかの実施例では、該第一管体には、相互に通じる大径部と小径部が設けられ、該小径部は、該第二管体の該第一セクションが差し込んでつなぐように設けられ、該大径部における該環状壁の一端の外表面には、雄ネジ部が設けられることを特徴とする。
【００１０】
該ミニ溶接器は、更に、複数のギャップリング及び複数の第四シールリングが設けられ、該ギャップリング及び該第四シールリングは、それぞれ、相互に間隔を開けて配置され、該大径部内又は該環状壁と該小径部との間に設けられることを特徴とする。
【００１１】
該ミニ溶接器は、更に、第一ネジ付きソケットと第二ネジ付きソケットを備え、該第一ネジ付きソケットは、該第二管体の該第三セクションの外に嵌め込まれ、該第二セクションに隣接した該第一ネジ付きソケットの一端が、第二セクションに隣接した該第三セクションの一端に突き当たるように設けられ、該第二ネジ付きソケットは、該第一管体の該大径部の外に嵌め込まれ、そして該雄ネジ部と螺合し、該第一管体には、該第二ネジ付きソケットの一端及び該第二ネジ付きソケットの内端面の間に第三シールリングが嵌め込まれることを特徴とする。
【００１２】
使用の時、ガス供給器を第一ネジ付きソケットに螺接して、第二管体の通路につながるように設けられ、酸素はガス供給器より通路に供給され、酸素の供給圧力は５ｋｇ〜８ｋｇとし、それと同時に、水素はガス供給器より二つの通孔に供給され、水素の供給圧力は３ｋｇに設けられ、二つの通孔と通路がつながり、酸素の供給圧力は、水素の供給圧力より大きく設けられることから、通路内の酸素の方が流速が早く、通孔の外が負圧になり、それによって水素が二つ通孔を経て通路へ吸い込まれ、酸素と混合することになっており、それに二つの通孔の位置が固定され、ガス供給器との距離も固定されているため、酸素と水素の供給量が固定されるようになり、それぞれの供給量が安定に供給できずに爆発などを起こしてしまうことを避けることができる。
【００１３】
上述した本考案の目的と長所は、次に取り上げる実施例に関する詳細な説明及び図面から深く理解されると思われる。
【００１４】
もちろん、本考案の別の実施例、又は別の実施例の配置・使用が異なる場合があるが、取り上げられる実施例に関して、本明細書に詳細に説明され、それらの構造も図面に示される。  
【図面の簡単な説明】
【００１５】
【図１】本考案のミニ溶接器の分解イメージである。
【図２】本考案のミニ溶接器の立体イメージである。
【図３】本考案のミニ溶接器の断面イメージである。
【図４】本考案のミニ溶接器のガスが流れる断面イメージである。
【図５】本考案のミニ溶接器とガス供給器と石英管を連結してなる立体イメージてある。
【図６】従来の溶接器の断面イメージである。
【考案を実施するための形態】
【００１６】
上述した目的を達成させるため、本考案の技術手段に関して、次の実施形態に図面と合わせて詳しく説明されており、それを深く理解し、認めると思われる。
【００１７】
図１〜図３に示す本考案は、第一管体１及び第二管体２を備えたミニ溶接器１００である。
【００１８】
第一管体１には、相互に通じる大径部１１と小径部１２が設けられ、小径部１２は、第二管体２が差し込んでつなぐように設けられ（溶接固定にしてもよいが、それに限らない）、大径部１１における環状壁の一端の外表面には、雄ネジ部１３が設けられる。  
【００１９】
第二管体２の一端は、第一管体１に通じるように設けられ、第二管体２内には通路２０が設けられ、通路２０は、第一管体１から離れた一端から隣接した第一管体１の他端に向けて次第に拡径するように設けられ、第一管体１の一端から離れた第二管体２には径方向に少なくともの二つの二通孔２５が設けられ、通孔２５は、通路２０に通じるように設けられ、通孔２５は対向して設けられてもよく、その数量は、二個、四個、八個などでよく、水素と酸素の供給量の要求に応じて変更可能である。
【００２０】
詳細には、第二管体２には、第一セクション２１、第二セクション２２、第三セクション２３及び第四セクション２４が、順次に通じるように設けられ、第一セクション２１は第二セクション２２よりも、第二セクション２２は第三セクション２３よりも、そして第四セクション２４は第一セクション２１よりも半径が小さく設けられ、二つの通孔２５は、第四セクション２４に設けられ、第一セクション２１と第一管体１は通じるように設けられ、即ち、第一セクション２１は、第一管体１の小径部１２に差し込まれて通じるようになっている。
【００２１】
第四セクション２４には、第一シールリング３１（例えばＯリング）の設置に供するための第一リング溝２６、第一リング溝２６と第三セクション２３の間には二つの通孔２５、第三セクション２３には第二シールリング３２（例えばＯリング）の設置に供するための第二リング溝２７が設けられる。
【００２２】
本考案のミニ溶接器１００には、更に、複数のギャップリング４及び複数の第四シールリング３４が設けられ（本考案では、三個のギャップリングと三個の第四シールリングを図面の例として説明されるが、それに限らない）、ギャップリング４と第四シールリング３４は、それぞれ、相互に間隔を開けて配置され、大径部１１内又は環状壁と小径部１２との間に設けられる。
【００２３】
本考案のミニ溶接器１００は、更に、第一ネジ付きソケット５１と第二ネジ付きソケット５２を備え、第一ネジ付きソケット５１は、第二管体２の第三セクション２３の外に嵌め込まれ、第二セクション２２に隣接した第一ネジ付きソケット５１の一端が、第二セクション２２に隣接した第三セクション２３の一端に突き当たるように設けられ、第二ネジ付きソケット５２は、第一管体１の大径部１１の外に嵌め込まれ、そして雄ネジ部１４と螺合し、第一管体１から離れた第二ネジ付きソケット５２の一端が、石英管３００に通じるように設けられ、石英管３００は、通路２０と通じるように設けられ、第一管体１には、第二ネジ付きソケット５２の一端及び第二ネジ付きソケット５２の内端面の間に、第三シールリング３３が嵌め込まれている。
【００２４】
図４及び図５に示すように、使用の時、ガス供給器２００を第一ネジ付きソケット５１に螺接して、第二管体２の通路２０につながるように設けられ、酸素（Ｏ２）はガス供給器２００から通路２０に供給され、酸素の供給圧力は５ｋｇ〜８ｋｇとし、それと同時に、水素（Ｈ２）は、ガス供給器２００から二つの通孔２５に供給され、水素の供給圧力は３ｋｇに設けられ、二つの通孔２５と通路２０がつながり、酸素の供給圧力は水素の供給圧力より大きく設けられることから、通路２０内の酸素の方が流速が早くて、通孔２５の外が負圧になり、それによって、水素が二つの通孔２５を経て、通路２０へと吸い込まれ、酸素と混合することになり、それに、二つの通孔２５の位置が固定され、ガス供給器２００との距離も固定されているので、酸素と水素の供給量が安定に供給できずに爆発などを起こしてしまうことを避けることができる。
【００２５】
通路２０で混合された水素及び酸素が石英管３００へと素早く流れ込み、その流れる力で、水素と酸素が空気に触れると、石英管３００の出口からほんの少し離れたところに炎が出ることになるところ、その炎の大きさや温度は、ガス供給器による水素や酸素の供給量によって調整されることになる。
【００２６】
上述した実施形態で提示された内容は、本考案を説明するのに用いられるものであり、それを以って本考案を制限してはならず、それらの数値の変更又はそれと同じ効果を得られる部品の変更などは、本考案の請求範囲に属する。
【００２７】
以上の詳細な説明によって、この技術分野が分かる者が本考案で確かに上述した目的を達成させることが可能であると理解でき、実用新案法の規定に沿うので実用新案登録を行うものである。
【符号の説明】
【００２８】
１００’    溶接器
１’        接続管
２’        通路
２１’      Ｖ型部
２２’      Ｉ型部
２００’    ガス供給器
１００      ミニ溶接器
１      第一管体
１１        大径部
１２        小径部
１３        雄ネジ部
２      第二管体
２０        通路
２１        第一セクション
２２        第二セクション
２３        第三セクション
２４        第四セクション
２５        通孔
２６        第一リング溝
２７        第二リング溝
３１        第一シールリング
３２        第二シールリング
３３        第三シールリング
３４        第四シールリング
４      ギャップリング
５１        第一ネジ付きソケット
５２        第二ネジ付きソケット
２００      ガス供給器
３００      石英管
【図１】
0003215457.tif 000003
【図２】
0003215457.tif 000004
【図３】
0003215457.tif 000005
【図４】
0003215457.tif 000006
【図５】
0003215457.tif 000007
【図６】
0003215457.tif 000008